(57)【特許請求の範囲】
【請求項１】
熱及び圧力の少なくとも一方によりトナーを用紙に定着させる定着装置を有し、この定着装置を用いて用紙に画像を形成する画像形成部と、
用紙に第１の画像が形成されるように前記画像形成部を制御する第１の制御手段と、
この第１の制御手段により用紙に第１の画像が形成され定着された後に、第１の画像上に認証コードであり第１の画像と略同一色の第２の画像が形成され定着されるように前記画像形成部を制御する第２の制御手段と、
を有する画像形成装置。
【請求項２】
第１の画像は、第２の画像よりも単位面積当りの黒のトナー量が多い請求項１記載の画像形成装置。
【請求項３】
前記画像形成部は、イエロー、マゼンダ、シアン及び黒のトナーが用いられ、第１の画像は、イエロー、マゼンダ及びシアン又は、イエロー、マゼンタ、シアン及び黒のトナーから形成され、第２の画像は、黒のトナーから形成される請求項１記載の画像形成装置。
【請求項４】
前記画像形成部は、両面印刷のための用紙搬送路を有し、
前記第２の制御手段は、前記用紙搬送路に用紙を２回通すことにより第２の画像が形成されるように制御する請求項１乃至３いずれか記載の画像形成装置。
【請求項５】
前記第２の制御手段は、前記用紙搬送路に用紙を１回目に通す際、少なくとも前記定着装置に用紙が通過する間は、前記定着装置の熱又は圧力の少なくとも一方を、第１の画像及び第２の画像を定着させる場合よりも少なくするように制御する請求項４記載の画像形成装置。
【請求項６】
熱及び圧力の少なくとも一方によりトナーを用紙に定着させて用紙に第１の画像を形成し、
第１の画像を定着した後に、第１の画像上に認証コードであり第１の画像と略同一色の第２の画像が形成され定着されるように、熱及び圧力の少なくとも一方によりトナーを用紙に定着させて用紙に第２の画像を形成する画像形成方法。
【発明の詳細な説明】
【技術分野】
【０００１】
本発明は、画像形成装置及び画像形成方法に関する。
【背景技術】
【０００２】
画像形成装置として、用紙に転写されたトナー像を熱及び圧力により用紙に定着させるようにしたものが知られている。特許文献１は、光沢度の高いトナー像を得るために、用紙に保持されたトナー像を複数回定着させることを開示する。特許文献２は、高光沢度が要求される写真画像に対しては２回の定着を行い、低光沢度が要求される文字画像に対しては１回の定着を行うようにしたことを開示する。
【０００３】
【特許文献１】特開２００２−２５８７１２号公報
【特許文献２】特開２００４−２９４５７５号公報
【発明の開示】
【発明が解決しようとする課題】
【０００４】
本発明の目的は、複写物と区別することができる原本画像を容易に形成することができる画像形成装置及び画像形成方法を提供することにある。
【課題を解決するための手段】
【０００５】
請求項１に係る本発明は、熱及び圧力の少なくとも一方によりトナーを用紙に定着させる定着装置を有し、この定着装置を用いて用紙に画像を形成する画像形成部と、用紙に第１の画像が形成されるように前記画像形成部を制御する第１の制御手段と、この第１の制御手段により用紙に第１の画像が形成され定着された後に、第１の画像上に認証コードであり第１の画像と略同一色の第２の画像が形成され定着されるように前記画像形成部を制御する第２の制御手段と、を有する画像形成装置である。
【０００７】
請求項２に係る発明は、第１の画像は、第２の画像よりも単位面積当りの黒のトナー量が多い請求項１記載の画像形成装置である。
【０００８】
請求項３に係る発明は、前記画像形成部は、イエロー、マゼンダ、シアン及び黒のトナーが用いられ、第１の画像は、イエロー、マゼンダ及びシアン又は、イエロー、マゼンタ、シアン及び黒のトナーから形成され、第２の画像は、黒のトナーから形成される請求項１記載の画像形成装置である。
【０００９】
請求項４に係る発明は、前記画像形成部は、両面印刷のための用紙搬送路を有し、前記第２の制御手段は、前記用紙搬送路に用紙を２回通すことにより第２の画像が形成されるように制御する請求項１乃至３いずれか記載の画像形成装置である。
【００１０】
請求項５に係る発明は、前記第２の制御手段は、前記用紙搬送路に用紙を１回目に通す際、少なくとも前記定着装置に用紙が通過する間は、前記定着装置の熱又は圧力の少なくとも一方を、第１の画像及び第２の画像を定着させる場合よりも少なくするように制御する請求項４記載の画像形成装置である。
【００１１】
請求項６に係る発明は、熱及び圧力の少なくとも一方によりトナーを用紙に定着させて用紙に第１の画像を形成し、第１の画像を定着した後に、第１の画像上に認証コードであり第１の画像と略同一色の第２の画像が形成され定着されるように、熱及び圧力の少なくとも一方によりトナーを用紙に定着させて用紙に第２の画像を形成する画像形成方法である。
【発明の効果】
【００１２】
請求項１に係る本発明によれば、複写物と区別することができる原本画像を容易に形成することができる画像形成装置を提供することができる。
また、原本の場合は光沢の差により第１の画像と第２の画像とを区別することができるが、複写物の場合は第１の画像と第２の画像との区別が困難あるいは不可能とし、原本と複写物との判別を容易に行うことができるという効果を奏する。
【００１４】
請求項２に係る本発明によれば、請求項１に係る発明の効果に加えて、第１の画像上に第２の画像が形成されているので、第２の画像部分のトナー層が厚くなるために明度が下がるが、第１の画像の黒のトナー量を多くすることにより、第１の画像と第２の画像とは光沢以外には差が少なくすることができ、原本と複写物との判別をより容易に行うことができるという効果を奏する。
【００１５】
請求項３に係る本発明によれば、請求項１に係る発明の効果に加えて、原本の場合は光沢の差により第１の画像と第２の画像とを区別することができるが、複写物の場合は第１の画像と第２の画像との区別が困難あるいは不可能とし、原本と複写物との判別を容易に行うことができるという効果を奏する。
【００１６】
請求項４に係る本発明によれば、請求項１乃至３いずれかに係る本発明の効果に加えて、両面印刷のための用紙搬送路を利用することでより簡単な構成で実現できるという効果を奏する。
【００１７】
請求項５に係る本発明によれば、請求項４に係る本発明の効果に加えて、１回目に定着装置を通過する際の第１の画像の光沢に対する影響を少なくすることができる。
【００１８】
請求項６に係る本発明によれば、複写物と区別することができる原本画像を容易に形成することができる画像形成方法を提供することができる。
【発明を実施するための最良の形態】
【００１９】
以下、本発明の実施形態を説明する。尚、以下の説明は本発明を実施するのにあたっての一例に過ぎず、本発明が以下に説明される事項に限定されるわけではなく必要に応じて適宜変更可能である。
【００２０】
図１は、本発明の実施形態に係る画像形成装置１０を示す構成図である。
画像形成装置１０は、情報処理装置１２と印刷装置１４とがケーブル１６を介して接続されている。情報処理装置１２は、例えばパーソナルコンピュータである。印刷装置１４は、例えば電子写真方式のカラー印刷装置である。ケーブル１６は、例えばＵＳＢケーブルである。
【００２１】
情報処理装置１２は、入力部１８、制御部２０、出力部２２、記憶部２４及び外部入力インターフェイス部２６から構成されている。入力部１８は、キーボード、マウス等から構成され、データを入力する。制御部２０は、ＣＰＵから構成され、情報処理装置１２の全体を制御する。出力部２２は、例えばディスプレイ等の表示装置であり、処理結果や入出力データを表示出力する。記憶部２４は、ＲＯＭ、ＲＡＭ、ハードディスク等からなり、ハードディスクにはオペレーティングシステム２８、プリンタドライバ３０及びアプリケーションソフトウエア３２がインストールされている。
【００２２】
印刷装置１４は、記憶部３４、外部インターフェイス部３６、制御部３８及び画像形成部４０から構成されている。記憶部３４は、ＲＯＭ、ＲＡＭ、ハードディスク等からなり、データやプログラムを記憶する。外部インターフェイス部３６は、情報処理装置１２との間で制御信号やデータの授受を行う。制御部３８は、ＣＰＵから構成され、印刷装置１４の全体を制御する。
【００２３】
図２は、印刷装置１４の画像形成部４０を示す断面図である。
画像形成部４０は筺体４２を有し、この筐体４２内に感光体４４、帯電装置４６、光書込み装置４８、現像装置５０、中間転写装置５２、クリーニング装置５４及び定着装置５６が収納されている。感光体４４は、潜像が形成される潜像担持体として用いられる。帯電装置４６は、感光体４４を一様帯電する帯電ロールからなる。光書込み装置４８は、帯電装置４６により帯電された感光体４４にレーザ光により潜像を書き込む。
【００２４】
現像装置５０は、回転軸５８を回転中心として左回り（図１において反時計回り）に回転する回転体５９と、この回転体５９に装着されたイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器６０ａ〜６０ｄとを有する。
【００２５】
回転体５９は、現像器６０ａ〜６０ｄを９０°間隔で保持し、９０°ずつ回転して、現像器６０ａ〜６０ｄを感光体４４に形成された潜像の現像を行う位置へと移動させる。現像器６０ａ〜６０ｄは、それぞれ現像ロール６２ａ〜６２ｄを有し、これらの現像ロール６２ａ〜６２ｄがそれぞれ感光体４４に対向するように移動する。
【００２６】
中間転写装置５２は、表面にトナー像を保持する像担持体として用いられる無端状の中間転写体である中間転写ベルト６４と、感光体４４上のトナー像を中間転写ベルトに転写（一次転写）する一次転写ロール６６と、感光体４４の近傍に位置し中間転写ベルト６４を内側から張持するラップインロール６８及びラップアウトロール７０と、中間転写ベルト６４に形成されたトナー像をシートに転写する転写部として用いられる二次転写ロール７２と、二次転写ロール７２をバックアップするバックアップロール７４と、中間転写ベルト６４をクリーニングする中間転写クリーナ７６と、中間転写ベルト６４を挟んで中間転写クリーナ７６と対向する位置に設けられたブラシバックアップロール８０とを有する。
【００２７】
中間転写ベルト６４には、一次転写ロール６６によって感光体４４上のトナー像が例えばイエロー、マゼンタ、シアン、黒の順に重ねて一次転写され、この一次転写されたトナー像を中間転写ベルト６４が二次転写ロール７２とバックアップロール７４との間に向けて搬送する。
【００２８】
ラップインロール６８とラップアウトロール７０とは、中間転写ベルト６４が広い領域で感光体４４に巻きつくように中間転写ベルト６４を張持しており、中間転写ベルト６４と感光体４４とが接する領域であり一次転写位置である一次転写ニップを形成させる。
【００２９】
二次転写バックアップロール７４には、中間転写ベルト６４を挟んで二次転写ロール７２が当接している。この二次転写バックアップロール７４と二次転写ロール７２との間に用紙が搬送され、中間転写ベルト６４に一次転写されたトナー像が用紙に転写される。
【００３０】
クリーニング装置５４は、一時転写の後に感光体ドラム４４に残留するトナーを掻き取るクリーニングブレード８２と、クリーニングブレード８２で掻き取ったトナーを回収するトナー回収ボトル８４とを有している。
【００３１】
定着装置５６は、加熱ロール８６と加圧ロール８８とを有し、この加熱ロール８６と加圧ロール８８との間を通過する用紙に熱と圧力を与え、二次転写されたトナー像を用紙に定着させる。
【００３２】
次に用紙搬送系について説明する。
この実施形態における用紙搬送系は、例えば２段の用紙供給装置９０，９０を有する。それぞれの用紙供給装置９０は、用紙が収納される用紙供給カセット９２と、この用紙供給カセット９２から用紙を送り出すピックアップロール９４と、ピックアップロール９４で送り出した用紙を搬送するフィードロール９６と、シートを１枚ずつ捌くリタードロール９８とを有している。
【００３３】
用紙の排出部１００は、筐体４２の上面に設けられている。この排出部１００に向けて排出口１０２が筐体４２に形成されている。主搬送路１０４は、フィードロール９６から排出口１０２に至る搬送路であり、この主搬送路１０４には、下から第１の搬送ロール１０６、第２の搬送ロール１０８、レジストロール１１０、二次転写ロール７２及び二次転写バックアップロール７４、定着装置５６並びに排出ロール１１２が配置されている。
【００３４】
レジストロール１１０は、搬送された用紙を一時停止させ、中間転写ベルト６４に形成されたトナー像が搬送されるタイミングに合わせて用紙を搬送する。排出ロール１１２は、正回転及び逆回転し、正回転することで主搬送路１０４に沿って搬送されてきた用紙を排出部１００へ排出する。用紙の両面に画像を形成する場合は、用紙の後端を残した状態で排出ロール１１２が逆回転して用紙を両面印刷のための用紙搬送路１１４に送り込む。
【００３５】
用紙搬送路１１４は、排出ロール１１２から第２の搬送ロール１０８までの搬送路であり、表面に画像形成がなされた用紙を反転させながら、第２の搬送ロール１０８まで用紙を搬送する。この用紙搬送路１１４に沿って、第３の搬送ロール１１６及び第４の搬送ロール１１８が設けられている。
【００３６】
手差し供給部１２０は、筐体４２から突出する手差しトレイ１２２と、この手差しトレイ１２２に積層された最上位の用紙を送り出す手差しピックアップロール１２４と、この手差しピックアップロール１２４で送り出された用紙を第２の搬送ロール１０８まで搬送する手差し搬送路１２６とを有する。
【００３７】
以上で説明した印刷装置４０においては、感光体４４が帯電装置４６により一様に帯電され、この帯電された感光体４４に、光書込み装置４８から照射されたレーザ光により潜像が形成される。光書込み装置４８により形成された感光体４４の潜像は、現像装置５０によってイエロー、マゼンタ、シアン、黒のトナー像に現像され、中間転写ベルト６４に重ねて一次転写される。一次転写の後に感光体４４に残留する廃トナーは、クリーニング装置５４によって掻き取られ、回収される。
【００３８】
一方、用紙供給装置９０，９０又は手差し供給部１２０から供給された用紙は、主搬送路１０４に導かれ、レジストロール１１０により一次停止され、タイミングをとって二次転写ロール７２と二次転写バックアップロール７４との間に導かれる。用紙が二次転写ロール７２と二次転写バックアップロール７４との間に導かれると、中間転写ベルト６４に一次転写されているトナー像が用紙に二次転写される。二次転写後に、中間転写ベルト６４に残留する廃トナーは、中間転写体クリーナ７６によって掻き取られ、回収される。
【００３９】
トナー像が転写された用紙は定着装置５６に導かれ、加熱ロール８６と加圧ロール８８とによる熱と圧力とによってトナー像が用紙に定着される。定着がなされた用紙は、表面にのみ画像形成を行う場合（片面印刷モード）、そのまま排出ロール１１２の正回転により排出口１０２から排出部１００へ排出される。一方、両面に画像形成を行う場合（両面印刷モード）、用紙の後端が排出ロール１１２に到達した時点で排出ロール１１２が逆回転すると共に、用紙搬送路１１４側に切り替えられ、用紙が用紙搬送路１１４に導かれる。
【００４０】
用紙搬送路１１４へと導かれた用紙は、第３の搬送ロール１１６、第４の搬送ロール１１８とにより下方向に向かって搬送され、裏面が中間転写ベルト６４に対向する向きに反転された状態で第２の搬送ロール１０８を介してレジストロール１１０へと導かれる。そして、レジストロール１１０に導かれた用紙は、二次転写ロール７２により裏面にトナー像が二次転写され、定着装置５６でトナー像の定着がなされ、排出ロール１１２により排出部１０６へと排出される。
【００４１】
次に上記画像形成部４０を用いて原本を作成する場合（原本作成モード）について説明する。
ここで、原本とは複写する元の文書をいい、この実施形態においては、光沢の差を利用して原本であるか否かを判別できるようにする。
【００４２】
図３は、原本１２８と、この原本１２８を複写した複写物１３０とを示す。図３（ａ）に示すように、原本１２８には、前述した情報処理装置１２のアプリケーションソフトウエア３２で作成した本文１３２の他に、原本であることを示す認証コード部１３４が所定位置に印刷されている。
【００４３】
認証コード部１３４は、背景部である第１の画像１３６と、この第１の画像１３６上に形成された例えば「原本」というコードである第２の画像１３８とから構成されている。第２の画像１３８が形成された領域以外の第１の画像１３６と、第２の画像１３８とを比較すると、色は略同一であるが、光沢が異なり、例えば第２の画像１３８が形成された領域以外の第１の画像１３６が第２の画像１３８よりも光沢度が高い。光沢度が高いとは、光源からの光の反射が、鏡面のように、あまり拡散せず、一定の方向を向いている状態である。すなわち、白色光源からの光の入射角と反射角が同じとなる角度で眺めると、画像は白く光って見えることになる。従って光沢の違いのある画像は、光源の方向と、その画像を見る方向により、差が出たり、出なかったりする。
【００４４】
ところが、通常の複写機で複写した場合は、図３（ｂ）に示すように、複写物１３０の本文に相当する領域１４０はそのまま復元されるが、第１の画像１３６に相当する領域１４２からは「原本」というコードが消えることになる。これは、通常の複写機においては、光沢の高い部分でも、反射光の影響を受けることなく、本来の素材の色を再現できるように、光源が工夫されており、光沢の差は強くでないようにしてあるからである。すなわち、第１の画像１３６と第２の画像１３８との読取信号はほぼ同一となって複写物１３０では同一色でかつ光沢が同一である画像となるためである。
【００４５】
次に原本作成モードの具体的な流れについて説明する。
図４は、原本作成モードにおける画像形成装置１０の制御動作を示す流れ図である。
まず、情報処理装置１２においては、アプリケーションソフトウエア３２で印刷データを作成又は加工した後、印刷設定が指示されると（ステップＳ１０）、印刷条件の設定指示命令をプリンタドライバ３０に送り、プリンタドライバ３０は、認証コードの設定及び印刷装置１４が備える各種機能（印刷条件）の設定させるための画面を表示し、操作者がこれらを設定した場合には設定情報を取得する（ステップＳ１２、ステップＳ１４）。
【００４６】
図５は、認証コードを設定する場合に情報処理装置１２に表示される認証コード設定画面１４４の一例を示す。認証コード設定画面１４４は、認証コード色設定部１４６、認証コード設定部１４８、フォント設定部１５０、サイズ設定部１５２、ファイル設定部１５４、位置設定部１５６、確認画面領域１５８、指示操作部１６０等から構成されている。
【００４７】
認証コード色設定部１４６は、認証コードの色を設定する部分である。認証コードの色に対して第１の画像と第２の画像とに用いられるトナーがテーブル１６２として前述した記憶部２４に記憶されている。図６は、このテーブルの一例を示す。例えば認証コードの色がイエローやシアンに設定された場合は、認証コードである第２の画像はＹ（イエロー）又はＣ（シアン）のトナーのみが用いられるのに対し、背景部である第１の画像は、それらの色に若干黒（Ｋ）のトナーが含まれるように設定されている。即ち、第１の画像は、第２の画像よりも単位面積当たりの黒のトナー量が多くなるように設定されている。この実施形態においては、図７に示すように、まず背景部である第１の画像１３６を形成し、その後に認証コードである第２の画像１３８を第１の画像１３６上に形成するので、第１の画像１３６は用紙の地色が影響され、設定した色よりも明度が高くなるのに対し、第２の画像１３８は、トナー層が厚いため、用紙の地色の影響が少ない。そのため、第１の画像１３６と第２の画像１３８とを同一色のトナーで形成すると、第２の画像１３８が黒みがかり、第１の画像１３６に対して明度が低下する。それに対し、この実施形態のように、背景部である第１の画像１３６に若干黒を入れることにより、認証コードと、それ以外の背景部の色とを同一とすることができる。なお、どの程度の割合で第１の画像１３６に黒のトナーを入れるかは予め実験により求めておき、その値をテーブルに記憶させておく。
【００４８】
また、認証コードの色が黒と設定された場合は、どちらも、同じ黒（Ｋ）のトナーとしても良いが、本実施形態では、背景部である第１の画像１３６はイエロー（Ｙ）、マゼンダ（Ｍ）、シアン（Ｃ）の各トナーを混合して作る黒（プロセスブラック）であるのに対し、認証コードである第２の画像１３８は黒（Ｋ）トナーのみで作る単色の黒である。光沢はトナーを形成する成分によっても影響をうけるが、本実施形態においては、プロセスブラックのほうが、光沢が高くなるような、構成で作られた各トナーを用いる。尚プロセスブラックをイエロー（Ｙ）、マゼンダ（Ｍ）、シアン（Ｃ）の３種のトナーだけで構成した場合、色の差が目立つ場合は、黒（Ｋ）のトナーも混ぜた４種のトナーでのプロセスブラックとすることも出来る。この実施形態のように、プロセスブラックからなる第１の画像１３６を形成し、その後、第１の画像１３６上に単色の黒からなる第２の画像１３８を形成すると、光沢の差を大きくすることができる。
【００４９】
図５において、認証コード設定部１４８は、認証コードを設定する部分であり、ここでは「原本」という文字が設定されている。フォント設定部１５０は、認証コードのフォントを設定する部分である。サイズ設定部１５２は、認証コードのサイズを設定する部分である。ファイル設定部１５４は、認証コードを記憶させるファイルを設定する部分である。位置設定部１５４は、認証コードを印刷する位置を設定する部分である。確認画面領域１５４は、認証コード色設定部１４６、認証コード設定部１４８、フォント設定部１５０、サイズ設定部１５２及び位置設定部１５６で設定された情報に基づいて認証コード部１３４を画面上に表示する領域である。尚、画像１３６と画像１３８の光沢の差は、明度の差に置き換えて表示する。指示操作部１６０は、ＯＫボタン、キャンセルボタン、ヘルプボタン等からなる。
【００５０】
図４に戻り、ステップＳ１４において、プリンタドライバ３０が認証コード設定情報及び各種印刷条件設定情報を取得すると、プリンタドライバ３０は、アプリケーションソフトウエア３２に印刷条件の終了を通知する。印刷条件の終了が通知されたアプリケーションソフトウエア３２は、表示画面を印刷指示画面に遷移させる。
【００５１】
印刷指示画面で印刷が指示されると（ステップＳ１６）、プリンタドライバ３０が印刷指示された印刷データを取得し、各種印刷条件情報を含む印刷データを出力先の印刷装置１４が解釈できる印刷情報に変換した印刷ジョブを作成する（ステップＳ１８）。次のステップＳ２０においては、印刷の指示がなされ、ステップＳ１８で作成された印刷ジョブが印刷指示情報と共に印刷装置１４へ送信される。
【００５２】
印刷ジョブを受信した印刷装置１４は、印刷ジョブに含まれる印刷情報を解析し、印刷データを印刷条件情報にもとづいてき用紙上に出力する（ステップＳ２２）。次のステップＳ２４においては、全ての印刷が完了したか否かを判定し、完了していない場合はステップＳ２０に戻り、完了した場合は、印刷装置１４は、印刷ジョブの終了を情報処理装置３０のプリンタドライバ３０に通知し、処理が終了する。
【００５３】
次に上述したステップＳ２２の処理について詳述する。
図８は原本作成モードにおける印刷装置１４の制御動作を示す流れ図である。
まず、ステップＳ２６において、図３に示す本文１３２と第１の画像１３６とをビットマップに展開する。第１の画像１３６は、認証コードを囲む例えば矩形の領域であり、図６に示したテーブルから選択された色を持つ。
【００５４】
次のステップＳ２８においては、ステップＳ２６で展開された本文１３２及び第１の画像１３６を印刷する。即ち、図１を参照すれば、ビットマップに展開された本文１３２及び第１の画像１３６の画像データが光書込み装置４８に送られ、この光書込み装置４８により画像データに対応して変調されたレーザ光に変換され、帯電装置４６により一様に帯電された感光体４４にレーザ光が照射されて感光体４４に潜像が形成される。感光体４４の潜像は、現像装置５０によってイエロー、マゼンタ、シアン、黒のトナー像に現像され、中間転写ベルト６４に重ねて一次転写される。一方、用紙供給装置９０，９０又は手差し供給部１２０から供給された用紙は、主搬送路１０４に導かれ、レジストロール１１０により一次停止され、タイミングをとって二次転写ロール７２と二次転写バックアップロール７４との間に導かれる。用紙が二次転写ロール７２と二次転写バックアップロール７４との間に導かれると、中間転写ベルト６４に一次転写されているトナー像が用紙に二次転写される。トナー像が転写された用紙は定着装置５６に導かれ、加熱ロール８６と加圧ロール８８とによる熱と圧力とによってトナー像が用紙に定着される。
【００５５】
次のステップＳ３０においては、本文１３２及び第１の画像１３６が形成された用紙を２回反転させる。即ち、図１を参照すれば、本文１３２及び第１の画像１３６が形成された用紙の後端が排出ロール１１２に到達した時点で排出ロール１１２が逆回転すると共に、用紙搬送路１１４側に切り替えられ、用紙が用紙搬送路１１４に導かれる。さらに用紙搬送路１１４を介して主搬送路１０４に戻される。この主搬送路１０４に戻された用紙は、二次転写ロール７２に対して裏面側が向いた状態にあり、用紙には何も画像が形成されずに二次転写ロール７２と二次転写バックアップロール７４との間及び定着装置５６を通過する。
【００５６】
この場合、通常、加熱ロール８６と加圧ロール８８との表面平滑度は異なるため、裏面にて定着装置５６を用紙が通過する際に、定着装置５６で加熱すると、第１の画像１３６の光沢に影響を与えるおそれがあるので、通常の定着温度よりも低い温度となるように間接ロール８６の温度を制御する。なお、この場合、加熱ロール８６と加圧ロール８８との間の圧力を低くするようにしてもよいし、熱と圧力の双方を低くなるようにしてもよい。
【００５７】
定着装置５６を通過した用紙は、該用紙の後端が排出ロール１１２に到達した時点で排出ロール１１２が逆回転すると共に、用紙搬送路１１４側に切り替えられ、用紙が用紙搬送路１１４に導かれる。さらに用紙搬送路１１４を介して主搬送路１０４に戻される。
【００５８】
次のステップＳ３２においては、第２の画像１３８をビットマップに展開し、次のステップＳ３４において、このビットマップに展開された第２の画像１３８をステップＳ２８と同様な方法により主搬送路１０４に戻された用紙に形成し、処理を終了する。
【００５９】
第２の画像１３８は、図７に示すように、第１の画像１３６上に重ねて形成される。第１の画像１３６のうち、第２の画像１３８のトナーが載らなかった部分は、定着装置５６で２回に渡って熱と圧力を受け、光沢が高くなる。この理由としては、一回目の定着工程時一旦溶融し、熱効率が良くなった状態で、再び溶融されるためと、定着装置５６において熱と圧力とを受ける時間がトータルで長くなるためである。第２の画像１３８は、２回目の画像形成時に初めて定着装置５６を通り、初めて溶融されるため、その他の部分に比較し光沢は低くなる。また、第２の画像部分のトナー溶融時、下にある第１の画像のトナーも、再溶融すると思われ、これも第２の画像のトナーに与える熱の総量を減らすと考えられ、これも光沢を下げる方向に働く。
【００６０】
なお、上記実施形態においては、画像形成装置は、情報処理装置と印刷装置とがケーブルにより接続されて構成されているが、本発明はこれに限定されるものではなく、情報処理装置と印刷装置とがネットワークを介して接続されていてもよく、また、情報処理装置と印刷装置とが一体となって画像形成装置を構成するものであってもよい。
【００６１】
また、上記実施形態においては、第１の画像と第２の画像とが略同一の色としたが、必ずしもこれに限らず、第１の画像と第２の画像とは色が異なっていても光沢さえ異なればよい。この場合、原本を複写した複写物からは第２の画像が消えるようにはできないが、原本においては第１の画像と第２の画像とでは光沢が異なるのに対し、複写物においては第１の画像と第２の画像とでは光沢に差が無いことから、原本と複写物とを見分けることができる。
【００６２】
また、上記実施形態においては、熱と圧力とにより画像を用紙に定着させる、いわゆるヒートロール方式の定着装置を用いたが、本発明はこれに限定されるものではなく、熱で定着させるフラッシュ露光方式や圧力で定着させる圧力定着方式であってもよい。
【００６３】
また、上記実施形態においては、両面印刷のための用紙搬送路を利用して自動的に第１の画像上に第２の画像を形成するようにしたが、本発明はこれに限定されるものではなく、第１の画像が形成された用紙を一旦排出し、この排出された用紙を例えば手差しトレイにセットし、この手差しトレイにセットした用紙に第２の画像を形成すようにしてもよい。
【図面の簡単な説明】
【００６４】
【図１】本発明の実施形態に係る画像形成装置を示すブロック図である。
【図２】本発明の実施形態に用いた印刷装置を示す断面図である。
【図３】（ａ）は本発明の実施形態に係る画像形成方法で形成した原本を示す平面図、（ｂ）は（ａ）の原本を複写した複写物を示す平面図である。
【図４】本発明の実施形態に係る画像形成装置の制御動作を示す流れ図である。
【図５】本発明の実施形態に用いた情報処理装置に表示される認証コード設定画面を示す画面図である。
【図６】第１の画像のトナー色と第２の画像のトナー色との関係を示すテーブルである。
【図７】本発明の実施形態に係る画像形成方法を示す流れ図である。
【図８】本発明の実施形態における印刷装置の制御動作を示す流れ図である。
【符号の説明】
【００６５】
１０  画像形成装置
１２  情報処理装置
１４  印刷装置
４０  画像形成部
４４  感光体
４６  帯電装置
４８  光書込み装置
５０  現像装置
５６  定着装置
６４  中間転写ベルト
６６  一次転写ロール
７２  二次転写ロール
９０  用紙供給装置
１０４  主搬送路
１１２  排出ロール
１１４  用紙搬送路
１２８  原本
１３０  複写物
１３４  認証コード部
１３６  第１の画像
１３８  第２の画像
【図１】
0005019045.tif 000002
【図２】
0005019045.tif 000003
【図３】
0005019045.tif 000004
【図４】
0005019045.tif 000005
【図５】
0005019045.tif 000006
【図６】
0005019045.tif 000007
【図７】
0005019045.tif 000008
【図８】
0005019045.tif 000009